(57)【要約】  本発明は、検知液を盛る容器、検知待ちのリチウムイオン電池を挟み且つそれを前記容器内に放置する場合に用いられるクリップ、及び高圧気連結部を含むリチウムイオン電池密封性検知装置を提供する。前記高圧気連結部は、その一端が検知待ちのリチウムイオン電池の注液孔と連通し、且つ他端が高圧気源と連結している。前記検知装置は、リチウムイオン電池を、前記容器内の検知液中から移出し或は前記容器内の検知液中に浸入するように、前記クリップを制御する昇降装置も含む。
2009527080.tif 000002
【特許請求の範囲】
【請求項１】
検知液を盛る容器、検知待ちのリチウムイオン電池を挟み且つそれを前記容器内に放置する場合に用いられるクリップ、及び高圧気連結部を含み、前記高圧気連結部の一端が検知待ちのリチウムイオン電池の注液孔と連通し、他端が高圧気源と連結しているリチウムイオン電池密封性検知装置であって、
前記検知装置は、リチウムイオン電池を、前記容器内の検知液中から移出し或は前記容器内の検知液中に浸入するように、前記クリップを制御する昇降装置も含む、ことを特徴とするリチウムイオン電池密封性検知装置。
【請求項２】
前記昇降装置は、移動可能なブラケット及び前記ブラケットを駆動して移動させ動力源を含み、前記クリップは、前記ブラケットに固定されている、ことを特徴とする請求項１に記載のリチウムイオン電池密封性検知装置。
【請求項３】
前記動力源が支持板に固定され、前記ブラケットと前記支持板とがレール及びレール槽を介して配合する、ことを特徴とする請求項２に記載のリチウムイオン電池密封性検知装置。
【請求項４】
前記容器の開口端に容器蓋が設置され、当該容器蓋に、クリップを貫通するためのスルーホールが設置されている、ことを特徴とする請求項１或いは２或いは３に記載のリチウムイオン電池密封性検知装置。
【請求項５】
前記容器は、透明の容器であり、底板に放置され、当該底板の下には、前記容器の回転を制御するための回転台が設置されている、ことを特徴とする請求項１或いは２或いは３に記載のリチウムイオン電池密封性検知装置。
【請求項６】
前記容器の外部に照明装置が設置されている、ことを特徴とする請求項５に記載のリチウムイオン電池密封性検知装置。
【請求項７】
前記クリップは、ベース及び底ベースの上方に位置する連結部材、ばねベース、ばね、密封部材を備え、前記連結部材は、前記ばねベースの一端を突出して伸び、且つ動力源と連結し、前記ばねは、前記ばねベース内に位置し、その両端がそれぞれ連結部材と密封部材とを支え、前記密封部材と前記ばねベースとは、スライドするように連結され、前記密封部材と前記ベースとの間には、検知待ちリチウムイオン電池を挟むために用いられる空間が形成されている、ことを特徴とする請求項１或いは２或いは３に記載のリチウムイオン電池密封性検知装置。
【請求項８】
前記高圧気連結部は、気体を流通させるために、前記クリップの密封部材の内部に形成された通路であり、前記通路は、検知待ちのリチウムイオン電池の注液孔及び高圧気源に連結されている、ことを特徴とする請求項７に記載のリチウムイオン電池密封性検知装置。
【請求項９】
前記密封部材の底端には、密封コイルが設置されている、ことを特徴とする請求項８に記載のリチウムイオン電池密封性検知装置。
【請求項１０】
前記動力源は、シリンダー、モーター或は気動モーターである、ことを特徴とする請求項７に記載のリチウムイオン電池密封性検知装置。
【発明の詳細な説明】
【発明の詳細な説明】
【０００１】
〔技術分野〕
本発明は、電池性能の検知装置に関し、特に、リチウムイオン電池密封性検知装置に関わる。
【０００２】
〔背景技術〕
リチウムイオン電池は、パソコン、ビデオカメラ、数字カメラ、個人数字助役（PDA）、移動通信末端製品及び電動工具などの製品に広く応用され、規格が多く、応用が広くて、需要量が大きい。また、リチウムイオン電池は、南北極科学考査、山登り探検などの気温が低く、気圧が希薄のひどい環境、及び高パワー放電の動力駆動などに応用される。
【０００３】
ひどい条件に用いる特殊な電池は、それの密封性に対する要求が高く、目前、業界では二種の装置でリチウムイオン電池の密封性を検知する。
【０００４】
その中の一種の検知装置として、検知瓶の中に液体を盛って、検知瓶の瓶口に検知管と吸気管を挿入し、検知管の底端を液体の中に挿入し、リチウムイオン電池の注液孔に針頭を設置し、前記針頭が密封部材を介してリチウムイオン電池と連通し、針頭の一端をエアウェイを介して検知瓶中の検知管と連結したものがある。
【０００５】
検知時、吸気管で数秒に吸気した後、検知管に気泡が連続に出るか否かを観察するが、例えば、気泡が出たとすると、リチウムイオン電池の密封性の不足を表し、逆には、リチウムイオン電池の密封性が優れることを表している。
【０００６】
しかしながら、前記検知装置は、検知速度が比較的に遅く、精確度がよくない。例えば、ある円柱型動力電池に対して、0.05Ｍｐaで、それの上蓋板、下蓋板とリチウムイオン電池筒体の溶接部位とに微小な漏れが存在するか否かを検知するのに約5分間がかかる。
【０００７】
別種として、検知液を盛る容器、クリップ及び高圧気連結部を含む検知装置は、前記クリップで検知しようとするリチウムイオン電池を挟み且つ容器内に放置し、前記高圧気連結部の一端を検知しようとするリチウムイオン電池の注液孔と連通し、他端を高圧気源と連結する。
【０００８】
検知時、検知しようとするリチウムイオン電池を容器の検知液の中に浸入し、リチウムイオン電池の内部に高圧気体を充填して、数秒を持続した後、容器中の検知液内に気泡が出るか否かを観察するが、例えば、気泡が出たとすると、リチウムイオン電池の密封性がよくないことを表示し、逆には、リチウムイオン電池の密封性が優れていることを表示する。
【０００９】
このような検知装置は、検知速度が前記第一種の検知装置の検知速度より速いが、リチウムイオン電池内部の乾燥を保持して、後続の注液過程を影響しないためには、検知しようとするリチウムイオン電池を容器内に置いた後に、容器内に検知液を注入でき、検知完了後も、先に容器中の検知液を排出してからリチウムイオン電池を取り出すことできて、操作が比較的に複雑で、稼動効率を更に向上する必要がある。
【００１０】
〔発明の開示〕
〔発明が解決しようとする課題〕
本発明は、操作が簡単で、リチウムイオン電池を快速に取出すことができるリチウムイオン電池密封性検知装置を提供することを課題とする。
【００１１】
〔課題を解決するための手段〕
前記技術問題を解決するために、本発明に係るリチウムイオン電池密封性検知装置は、検知液を盛る容器、検知待ちのリチウムイオン電池を挟み且つそれを前記容器内に放置する場合に用いられるクリップ、及び高圧気連結部を含み、前記高圧気連結部の一端が検知待ちのリチウムイオン電池の注液孔と連通し、且つ他端が高圧気源と連結しており、前記検知装置は、リチウムイオン電池を、前記容器内の検知液中から移出し或は前記容器内の検知液中に浸入するように、前記クリップを制御する昇降装置も含むことを特徴とする。
【００１２】
また、前記昇降装置は、移動可能なブラケット及び前記ブラケットを駆動して移動させ動力源を含み、前記クリップは、前記ブラケットに固定されている。
【００１３】
また、前記動力源が支持板に固定され、前記ブラケットと前記支持板とがレール及びレール槽を介して相互配合する。
【００１４】
また、前記容器の開口端に容器蓋が設置され、当該容器蓋に、クリップを貫通するためのスルーホールが設置されている。
【００１５】
また、前記容器は、透明の容器であり、底板に放置され、当該底板の下には、前記容器の回転を制御するための回転台が設置されている。
【００１６】
また、前記容器の外部に照明装置が設置されている。
【００１７】
また、前記クリップは、ベース及び底ベースの上方に位置する連結部材、ばねベース、ばね、密封部材を備え、前記連結部材は、前記ばねベースの一端を突出して伸び、且つ動力源と連結し、前記ばねは、前記ばねベース内に位置し、その両端がそれぞれ連結部材と密封部材を支え、前記密封部材と前記ばねベースとは、スライドするように連結され、前記密封部材と前記ベースとの間には、検知待ちリチウムイオン電池を挟むために用いられる空間が形成されている。
【００１８】
また、前記高圧気連結部は、気体を流通させるために、前記クリップの密封部材の内部に形成された通路であり、前記通路は、検知待ちのリチウムイオン電池の注液孔及び高圧気源に連結されている。
【００１９】
また、前記密封部材の底端には、密封コイルが設置されている。
【００２０】
また、前記動力源は、シリンダー、モーター或は気動モーターである。
【００２１】
〔発明の効果〕
本発明に係るリチウムイオン電池密封性検知装置によると、昇降装置でクリップを制御して、リチウムイオン電池を検知液内から移出し或は検知液内に浸入することができて、容器に重複して検知液を注入／排出する必要がなく、それによって、リチウムイオン電池の取出しが非常に便利であり、同時に時間を節約して、稼動効率を高める。また、本発明のリチウムイオン電池密封性検知装置のクリップは、ばねベース及びその内部に設置されるばね、密封部材を有して、リチウムイオン電池の固定及び密封が便利であり、シリンダーを制御することにより快速にリチウムイオン電池をしっかりと挟むことができて、稼動効率を更に向上させる。
【００２２】
〔発明を実施するための最良の形態〕
図1と図2を参考して、本発明の比較的によい実施方式を説明する。本発明に係るリチウムイオン電池密封性検知装置は、容器1、クリップ2、高圧気連結部及び昇降装置3を含む。容器1は検知液を盛るために用いられ、クリップ2は検知しようとするリチウムイオン電池100を挟み且つ容器1に置くために用いられ、高圧気連結部の一端は検知しようとするリチウムイオン電池100の注液孔と連通し、それの他端は高圧気源(図示せず)と連結しており、昇降装置3はクリップ2を制御して、リチウムイオン電池100を容器1の検知液から移出し或は高圧気連結部に浸入するために用いる。
【００２３】
前記昇降装置3は、移動可能なブラケット32及び当該ブラケット32を駆動して移動させるシリンダー34を備え、前記クリップ2を、前記ブラケット32に固定する。前記シリンダー34を支持板4に固定し、当該支持板4にレール42を設置し、前記ブラケット32に前記レール42と配合するレール槽(図の中に表示しない)を設置し、それにより、ブラケット32は支持板4に沿って、安定に上下運動できる。もちろん、前記レールとレール槽との位置は交換可能であり、即ち、レールを前記ブラケット32に設置し、レール槽を前記支持板4に設置することができる。
【００２４】
前記容器1の開口端に容器蓋12を設置し、当該容器蓋12にクリップ2を貫通するためのスルーホール(図の中に符号表記無)を設置し、それによって容器1内の検知液が揮散することを防止できる。前記容器1は透明の容器であり、本実施方式において、容器1はガラスビーカーで、それを底板5に放置し、観測を便利にするために、前記底板5を前記支持板4と固定連結し、底板5の下に回転台6を設置して、それで底板5、支持板4、容器1、クリップ2及び昇降装置3を制御して、それらを一緒に回転させる。また、容器1の外部に照明装置7も設置する。
【００２５】
図3を同時に参考すると、前記クリップ2はベース21及び当該ベース21の上方に位置する連結部材22、ばねベース23、ばね24、密封部材25を含む。連結部材22は、ばねベースの一端に突出して伸び、且つシリンダー8と連結する。ばね24は、ばねベース23内に位置し、その両端がそれぞれ連結部材22と密封部材25とを支える。密封部材25及びばねベース23は、定位栓26でスライドするように連結し、密封部材25と底ベース21との間に収納空間を有して、検知しようとするリチウムイオン電池100を置かせる。密封部材25の内部に気体を流通させる通路252も設置し、前記通路252は検知しようとするリチウムイオン電池100の注液孔と高圧気源とを連結する。密封部材25の底端に凹溝を設置し、凹溝の内に密封コイル27を設置して、検知する時の密封性を増加する。本実施方式において、前記密封コイル27はO形コイルである。
【００２６】
前記検知装置を採用してリチウムイオン電池の密封性を検知する時、まず、動力源34でブラケット32を駆動して、それを上向きに一定の高度に運動させる。次に、液体の未注入状態の検知しようとするリチウムイオン電池100をクリップ2で取付けて、シリンダー8によって、連結部材22を介してばね24を圧縮して、ばね24が密封部材25を押し出させるようにして、それにより密封部材を下向きに運動させて、リチウムイオン電池100をしっかりと押し出す。また次に、シリンダー34でブラケット32を駆動して、それを下向きに一定の距離に運動させ、リチウムイオン電池100を容器1中の検知液に完全に浸入し、高圧気源は、密封部材25内の通路252でリチウムイオン電池100内に大気圧より高い乾燥気体を充填し、数秒を持続した後、底板5を回転して、容器1中の検知液を全面に観察し、すなわち、その内に気泡が出るか否かを観察する。検知完了後、シリンダー34でブラケット32を駆動して上向きに一定の距離に運動させ、リチウムイオン電池100を検知液から移出した後、検知完了のリチウムイオン電池100をクリップ2から取出す。
【００２７】
前記シリンダー34、8は、モーター、気動モーターなどの従来の動力を提供する動力源である。
【００２８】
〔産業上の利用可能性〕
本発明によると、昇降装置3でクリップ2を制御して、リチウムイオン電池100を検知液から移出し或は検知液に浸入することで、容器1に重複して検知液を注入/排出する必要がなくなって、リチウムイオン電池100の取出しを充分に便利にし、それと同時に時間を節約して、稼動効率を高める。また、本発明のクリップ2はばねベース23及びその内部に設置するばね24と密封部材25を有して、リチウムイオン電池100の固定と密封を便利にし、シリンダー8を制御することによって、快速にリチウムイオン電池100をしっかりと挟むことができ、稼動効率を更に向上させる。
【図面の簡単な説明】
【００２９】
【図１】本発明の比較的によい実施方式の略図である。
【図２】図1の前記実施方式が別の状態に置く略図である。
【図３】図1中のクリップが電池を挟む時の断面図である。
【図１】
2009527080.tif 000003
【図２】
2009527080.tif 000004
【図３】
2009527080.tif 000005
【国際調査報告】
2009527080.tif 000006
2009527080.tif 000007
2009527080.tif 000008
2009527080.tif 000009
2009527080.tif 000010
2009527080.tif 000011